【手続補正書】
【提出日】平成16年10月28日(2004.10.28)
【手続補正１】
【補正対象書類名】明細書
【補正対象項目名】特許請求の範囲
【補正方法】変更
【補正の内容】
【特許請求の範囲】
【請求項１】  衝撃強さが改良されたグラフトポリマーおよび耐燃剤を含むポリカーボネート組成物であって、ポリカーボネート組成物中のビニル（コ）ポリマーから成るゴム非含有部分Ｋに対する、グラフトポリマー（Ｂ）に含まれるゴム含有部分Ｂａの比Ｚが１よりも大きい組成物。
【請求項２】  衝撃強さが改良された耐燃性グラフトポリマーを含み、−２０℃にてＩＳＯ１８０  １Ａに従って測定されるノッチ付き衝撃強さが２０ｋＪ／ｍ２よりも大きいポリカーボネート組成物。
【請求項３】  ≦３．２ｍｍのサンプルの厚さに関して、ＵＬ−９４Ｖに規定する要求Ｖ−０を満たす、請求項１または請求項２に記載のポリカーボネート組成物。
【請求項４】  ポリカーボネートとして、芳香族ポリカーボネート、芳香族ポリエステルカーボネート、または芳香族ポリカーボネートおよびポリエステルカーボネートの混合物を含む、請求項１〜３のいずれか１項に記載のポリカーボネート組成物。
【請求項５】  組成物中の全ての成分の重量部の合計を１００としたときに、ポリカーボネートおよび／またはポリエステルポリカーボネートが４０〜９９重量部の量で含まれる、請求項４に記載のポリカーボネート組成物。
【請求項６】  グラフトポリマー（Ｂ）が、
Ｂ．１）下記基質上の５〜９５重量％の１または複数のビニルポリマー、
Ｂ．２）ガラス転移温度が＜１０℃である、９５〜５重量％の１または複数のグラフト基質
から成る請求項１〜５のいずれか１項に記載のポリカーボネート組成物。
【請求項７】  グラフトポリマーが１〜４０重量部の量で含まれている請求項６に記載のポリカーボネート組成物。
【請求項８】  ２〜２５重量部のグラフトポリマーを含む、請求項７に記載のポリカーボネート組成物。
【請求項９】  ビニル（コ）ポリマーおよびポリアルキレンテレフタレートから選択される、少なくとも１つの熱可塑性ポリマーを含む、請求項３〜８のいずれか１項に記載のポリカーボネート組成物。
【請求項１０】  熱可塑性ポリマーが、組成物中に３０重量部までの量で含まれる請求項９に記載のポリカーボネート組成物。
【請求項１１】  含リン化合物が組成物中に０．５〜３０重量部の量で含まれている請求項１〜１０のいずれか１項に記載のポリカーボネート組成物。
【請求項１２】  １〜２５重量部の含リン化合物を含む請求項１１に記載の
ポリカーボネート組成物。
【請求項１３】  含リン化合物がオリゴホスフェートである、請求項１〜１２のいずれか１項に記載のポリカーボネート組成物。
【請求項１４】  フッ化ポリオレフィン、有機添加剤、および／または、タルク、マイカ、珪灰石、水晶、酸化チタン、ナノスケール物質のような無機粒子が含まれている、請求項１〜１３のいずれか１項に記載のポリカーボネート組成物。
【請求項１５】  請求項１〜１４のいずれか１項に記載の、衝撃強さが改良されたグラフトポリマーを含むポリカーボネート組成物を含む成形品。
【請求項１６】  成形品が、自動車の部品、鉄道車両、航空機、または水上輸送機の部材であることを特徴とする、請求項１５に記載の成形品。
【手続補正２】
【補正対象書類名】明細書
【補正対象項目名】００３８
【補正方法】変更
【補正の内容】
【００３８】
グラフトポリマーＢに適したグラフト基質Ｂ．２は、例えば、ジエンゴム、ＥＰ（Ｄ）Ｍゴム（即ち、エチレン／プロピレンおよび場合によりジエンをベースとするもの）、アクリル酸ゴム、ポリウレタンゴム、シリコーンゴム、クロロプレンゴム、ならびにエチレン／ビニルアセテートゴムである。
【手続補正３】
【補正対象書類名】明細書
【補正対象項目名】００５４
【補正方法】変更
【補正の内容】
【００５４】
ビニル（コ）ポリマーＣ．１として適当なものは、芳香族ビニル、シアン化ビニル（不飽和ニトリル）、（メタ）アクリル酸−（Ｃ１〜Ｃ８）アルキレート、不飽和カルボン酸、および不飽和カルボン酸の誘導体（例えば無水物およびイミド）から成る群から選択される少なくとも１つのモノマーのポリマーである。特に適当なものは、
Ｃ．１．１  ５０〜９９重量部、好ましくは６０〜８０重量部の芳香族ビニルおよび／または環において置換された芳香族ビニル（例えば、スチレン、α−メチルスチレン、ｐ−メチルスチレン、ｐ−クロロスチレン）ならびに／またはメタクリル酸−（Ｃ１〜Ｃ８）アルキレート（例えば、メチルメタクリレート、エチルメタクリレート）、および
Ｃ．１．２  １〜５０重量部、好ましくは２０〜４０重量部のシアン化ビニル（不飽和ニトリル）（例えば、アクリロニトリルおよびメタクリロニトリル）、および／または（メタ）アクリル酸−（Ｃ１〜Ｃ８）アルキレート（例えばメチルメタクリレート、ｎ−ブチルアクリレート、ｔ−ブチルアクリレート，ならびに／または不飽和カルボン酸（例えば、マレイン酸）および／または不飽和カルボン酸の誘導体（例えば、無水物およびイミド）（例えば、マレイン酸無水物およびＮ−フェニルマレインイミド）
の（コ）ポリマーである。ビニル（コ）ポリマーＣ．１は樹脂状であって、熱可塑性でありゴム非含有である。Ｃ．１．１のスチレンおよびＣ．１．２のアクリロニトリルに由来するコポリマーが特に好ましい。
【手続補正４】
【補正対象書類名】明細書
【補正対象項目名】００５９
【補正方法】変更
【補正の内容】
【００５９】
好ましいポリアルキレンテレフタレートは、エチレングリコールまたはブタンジオール−１，４残基に加えて、３〜１２のＣ原子を有する他の脂肪族ジオールまたは６〜２１のＣ原子を有する脂環式ジオール、例えば、プロパンジオール−１，３、２−エチルプロパンジオール−１，３、ネオペンチルグリコール、ペンタンジオール−１，５、ヘキサンジオール−１，６、シクロヘキサン−ジメタノール−１，４、３−エチルペンタンジオール−２，４、２−メチルペンタンジオール−２，４、２，２，４−トリメチルペンタンジオール−１，３、２−エチルヘキサンジオール−１，３、２，２−ジエチルプロパンジオール−１，３、ヘキサンジオール−２，５、１，４−ジ（β−ヒドロキシエトキシ）ベンゼン、２，２−ビス（４−ヒドロキシシクロヘキシル）プロパン、２，４−ジヒドロキシ−１，１，３，３−テトラメチルシクロブタン、２，２−ビス（４−β−ヒドロキシエトキシ−フェニル）プロパン、および２，２−ビス（４−ヒドロキシプロポキシ−フェニル）プロパンの残基を、２０モル％まで、好ましくは１０モル％まで含んでよい（ＤＥ−Ａ  ２４０７６７４、２４０７７７６、２７１５９３２）。
【手続補正５】
【補正対象書類名】明細書
【補正対象項目名】００６０
【補正方法】変更
【補正の内容】
【００６０】
ポリアルキレンテトラフタレートは、比較的少量の三価もしくは四価アルコールまたは三価もしくは四価塩基性カルボン酸を、例えばＤＥ−Ａ−１９００２７０およびＵＳ−ＰＳ３６９２７４４に従って、組み込むことによって分岐させてよい。好ましい分岐剤の例は、トリメシン酸、トリメリット酸、トリメチロールエタンおよびトリメチロールプロパン、ならびにペンタエリトリトールである。
【手続補正６】
【補正対象書類名】明細書
【補正対象項目名】００６６
【補正方法】変更
【補正の内容】
【００６６】
成分Ｄ：
本発明の意義においてリン含有難燃剤（Ｄ）は、好ましくは、単量体および低重合体の燐酸およびホスホン酸エステル、ホスホネートアミン、およびホスファゼンから成る群から選択され、１または複数の前記群から選択される複数の成分の混合物もまた、難燃剤として使用され得る。ここでは具体的に言及しないハロゲンを含まない他の含リン化合物もまた、単独であるいは他のハロゲンを含まない含リン化合物との任意の組み合わせで使用され得る。
【手続補正７】
【補正対象書類名】明細書
【補正対象項目名】００７２
【補正方法】変更
【補正の内容】
【００７２】
Ｘは、特に好ましくは：
【化４】
2005506388.tif 000001
またはそれらの塩素化もしくは臭素化された誘導体を表し、特にＸは、レソルシノール、ヒドロキノン、ビスフェノールＡ、またはジフェニルフェノールから誘導される。特に好ましくは、ＸはビスフェノールＡから誘導される。
【手続補正８】
【補正対象書類名】明細書
【補正対象項目名】００７３
【補正方法】変更
【補正の内容】
【００７３】
ビスフェノールＡから誘導される式（ＩＶ）で示される低重合体のホスフェートの使用は、特に有利である。なぜならば、前記含リン化合物を有する組成物は、特に応力クラッキングおよび加水分解に対して高い耐性を示すとともに、射出成形により加工される間、特にプレートアウトしにくいからである。加えて、当該難燃剤を用いれば、特に高い耐熱性が得られる。
【手続補正９】
【補正対象書類名】明細書
【補正対象項目名】００７４
【補正方法】変更
【補正の内容】
【００７４】
本発明によれば、成分Ｄとして、モノホスフェート（ｑ＝０）、オリゴホスフェート（ｑ＝１〜３０）、またはモノホスフェートおよびオリゴホスフェートの混合物が使用され得る。
【手続補正１０】
【補正対象書類名】明細書
【補正対象項目名】００７６
【補正方法】変更
【補正の内容】
【００７６】
成分Ｄである式（ＩＶ）による含リン化合物は公知である（例えば、ＥＰ−Ａ３６３６０８、ＥＰ−Ａ６４０６５５参照）、または公知の方法により同様にして調製され得る（例えば、ウルマン工業化学百科事典、第１８巻、第３０１頁以下、１９７９；ホウベン−ヴェイル（Houben−Weyl）「有機化学の方法（Methoden der organischen Chemie）」第１２／１巻、第４３頁：バイルシュタイン（Beilstein）、第６巻、第１７７頁）。
【手続補正１１】
【補正対象書類名】明細書
【補正対象項目名】００８５
【補正方法】変更
【補正の内容】
【００８５】
例示のために、また好ましいものとして：
式（Ｖａ−１）で示される５，５，５’，５’，５”,５”−ヘキサメチルトリス（１，３，２−ジオキサホスホリナンメタン）アミノ−２，２’，２”−トリオキシド、
【化７】
2005506388.tif 000002
１，３，２−ジオキサホスホリナン−２−メタンアミン、Ｎ−ブチル−Ｎ−［（５，５−ジメチル−１，３，２−ジオキサホスホリナン−２−イル）メチル］−５，５−ジメチル,Ｐ,２−ジオキシド；１，３，２−ジオキサホスホリナン−２−メタンアミン、Ｎ−［（５，５−ジメチル−１，３，２−ジオキサホスホリナン−２−イル）メチル］−５，５−ジメチル−Ｎ−フェニル−,Ｐ,２−ジオキシド；１，３，２−ジオキサホスホリナン−２−メタンアミン、Ｎ，Ｎ−ジブチル−５，５−ジメチル−,２−オキシド、１，３，２−ジオキサホスホリナン−２−メタンアミン、Ｎ−［（５，５−ジメチル−１，３，２−ジオキサホスホリナン−２−イル）メチル］−Ｎ−エチル−５，５−ジメチル−,Ｐ,２−ジオキシド、１，３，２−ジオキサ−ホスホリナン−２−メタンアミン、Ｎ−ブチル−Ｎ−［（５，５−ジクロロメチル−１，３，２−ジオキサホスホリナン−２−イル）メチル］−５，５−ジクロロメチル−,Ｐ,２−ジオキシド、１，３，２−ジオキサホスホリナン−２−メタンアミン、Ｎ−［（５，５−ジクロロメチル−１，３，２−ジオキサホスホリナン−２−イル）メチル］−５，５−ジクロロメチル−Ｎ−フェニル,Ｐ,２−ジオキシド；１，３，２−ジオキサホスホリナン−２−メタンアミン、Ｎ，Ｎ−ジ（４−クロロブチル）−５，５−ジメチル−２−オキシド；１，３，２−ジオキサホスホリナン−２−メタンイミン、Ｎ−［（５，５−ジメチル−１，３，２−ジオキサホスホリナン−２−イル）メタン］−Ｎ−（２−クロロエチル）−５，５−ジ（クロロメチル）−,Ｐ２−ジオキシドが挙げられる。
【手続補正１２】
【補正対象書類名】明細書
【補正対象項目名】０１０２
【補正方法】変更
【補正の内容】
【０１０２】
好ましくは、超微細無機粉体は、酸化物、リン酸塩、水酸化物から成り、好ましくはＴｉＯ２、ＳｉＯ２、ＳｎＯ２、ＺｎＯ、ＺｎＳ、ベーマイト、ＺｒＯ２、Ａｌ２Ｏ３、リン酸アルミニウム、酸化鉄、またＴｉＮ，ＷＣ，ＡｌＯ（ＯＨ），ＳＢ２Ｏ３酸化鉄、ＮａＳＯ４、酸化バナジウム、ホウ酸亜鉛、Ａｌシリケート、Ｍｇシリケート、１−、２−、３次元シリケートのような珪酸塩から成る。混合物およびドープ配合物（または濃厚溶液配合物）もまた使用できる。